(57)【要約】【課題】電源コードをコンパクトに収容できる携帯性に優れた電圧変換器を提供する。【解決手段】電源プラグ１２から電源コード１１を介してケース本体１３内部に印加される電圧を所定電圧に変圧し、変圧した所定電圧をプラグ挿入口１８を介してケース本体１３外部に供給する電圧変換機能を備え、ケース本体１３をドラム部１４の両端面に一対のフランジ部１５−１，１５−２を有するリール形状に成形し、両フランジ部１５−１，１５−２の内側に対向して設けた突起部１６，１６間の隙間Ｇから電源コード１１を挿入し、挿入した電源コード１１をドラム部１４外周に沿って巻き付ける。【選択図】  図１
2004152795.tif 000002
【特許請求の範囲】
【請求項１】
電源プラグから電源コードを介してケース本体内部に印加される電圧を所定電圧に変圧し、変圧した所定電圧をプラグ挿入口を介してケース本体外部に供給する電圧変換機能を備え、ケース本体がドラム部の両端面に一対のフランジ部を有するリール形状に成形され、両フランジ部の内側に対向して設けられた突起部間の隙間から電源コードを挿入し、挿入された電源コードがドラム部外周に沿って巻き付け可能に構成されていることを特徴とする電圧変換器。
【発明の詳細な説明】
【０００１】
【発明の属する技術分野】
本発明は、海外で電気器具を使用する場合の必需品である電圧変換器に関する。
【０００２】
【従来の技術】
一般に、日本国内にある商用電源用の電源コンセントから供給される電圧は１００ボルトであるのに対し、海外ではその国や地域によって、商用電源用の電源コンセントから供給される電圧が１１０〜２４０ボルトと日本に比べて高い。このため、日本国内で普段使用している電気器具をそのまま海外の電源コンセントに差し込んで使用すると、適正な電圧よりも高い電圧が印加されて電気器具は破損してしまう。そこで、日本国内で使用される電気器具を海外で使用する場合には、その国や地域で使用されている電圧を電気器具の適正電圧に変換する電圧変換器が必需品である。
【０００３】
ところが、従来の電圧変換器は、コンパクト化の要請から電源プラグが本体と一体化されたものが多く、電源コンセントから離れた場所で電気器具類を使用したい場合に不便である。また、電源コードを本体から延長させた電圧変換器もあるが、電源コードをコンパクトに収容できる構造とはなっていない。このため、旅行者は電源コードを折返して一つに束ねたり、変換器本体の外周に無造作に巻き付けて持ち運びしているのが実情である。
【０００４】
このように、従来の電圧変換器において、本体から延長した電源コードは非常に嵩張るものであり、旅行時に電圧変換器と電気器具類とを一緒に携帯する場合に、電圧変換器の電源コードと電気器具類の電源コードとが互いに絡まったり、持ち運びの際に電源コードが拡がって邪魔になるといった様々な不具合があり、携帯性において問題があった。
【０００５】
一方、このような不具合を解決するために、電源コードの巻き取り構造を採用した電圧変換器の例として、例えば下記の特許文献１に開示されたものがある。
【０００６】
【特許文献１】
特開平１０−１７２６４０号公報
【０００７】
この電圧変換器は電源トランスがロータリートランスの構造を有し、電源コードがロータリートランスの１次巻線に着脱不能に接続された構造である。また、１次巻線がボビンごと回転して電源コードがボビンの外周部に巻き取りあるいは繰り出し可能となっている。
【０００８】
しかしながら、この電圧変換器においては、電源コードの巻き取りおよび繰り出しを行なうハンドルまたはぜんまい等の回転駆動機構が本体外部に設けられており、電圧変換器全体として見るとそのコンパクトさに欠ける。このため、海外旅行時のように、荷物のスペースをより確保したい旅行者にとって、本体の大きさを少しでもコンパクト化した携帯性に優れた電圧変換器が求められている。
【０００９】
【発明が解決しようとする課題】
本発明はこのような問題点に鑑みてなされたものであり、その目的とするところは、電圧の異なる海外で電気器具を使用する場合に必需品となる電圧変換器において、電源コードをコンパクトに収容できる携帯性に優れた電圧変換器を提供することにある。
【００１０】
【課題を解決するための手段】
上記目的を達成するために、本発明に係る電圧変換器は、電源プラグから電源コードを介してケース本体内部に印加される電圧を所定電圧に変圧し、変圧した所定電圧をプラグ挿入口を介してケース本体外部に供給する電圧変換機能を備え、ケース本体がドラム部の両端面に一対のフランジ部を有するリール形状に成形され、両フランジ部の内側に対向して設けられた突起部間の隙間から電源コードを挿入し、挿入された電源コードがドラム部外周に沿って巻き付け可能に構成されていることを特徴とする。
【００１１】
本発明によれば、電圧変換器の電源コードを突起部間の隙間から挿入してドラム部の外周に沿って巻き付けていくことで、電源コードをケース本体外部からはみ出さないように収容することができる。加えて、収容した電源コードの巻き付け終端は、コード幅よりも一段太くなった電源プラグの根元が突起部の内側に当接して引掛け固定され、ケース本体外部への自由度が規制されているため、電源コードの巻き崩れや巻き戻りを防ぐことができる。このように、電源コードの巻き付け構造と巻き付け終端の固定構造とが相俟って、電源コードのケース本体外部への拡がりを抑えることができ、電源コードが嵩張ることがなく全体として電圧変換器のコンパクト化を図ることができる。
【００１２】
よって、例えば海外旅行時に電圧変換器を電気器具類と一緒に携帯する場合、電圧変換器の電源コードと電気器具の電源コードとが互いに絡まったり、持ち運びの際に電源コードが拡がって邪魔になるといった不具合を解消できる。また、電源コードがケース本体外部へとはみ出すことがないため外観見栄えも良く、携帯性に優れた電圧変換器を提供することができる。
【００１３】
【発明の実施の形態】
以下、本発明に係る電圧変換器の好適な実施の形態について、添付図面を参照しながら詳細に説明する。
【００１４】
図１は本発明に係る電圧変換器の全体構造を示す外観斜視図、図２は電圧変換器を正面から見た平面図、図３は電圧変換器を背面から見た平面図、図４は電圧変換器を横側面から見た平面図、図５は電圧変換器を上側面から見た平面図、図６は電圧変換器の電源コード巻き付け時の状態を示す平面図である。
【００１５】
図１に示すように、この電圧変換器１０は、電源プラグ１２から電源コード１１を介して印加される電圧を所定電圧に変圧し、変圧された所定電圧の電力を外部の電気器具（図示略）に供給するための手段として用いられる。すなわち、海外での電気器具の使用時には、商用電源用の電源コンセント１における差込口の形状が異なることから、電源コンセント１にアダプタプラグ２を差し込んだ後、アダプタプラグ２のプラグ挿入口３に電圧変換器１０の電源コード１１の電源プラグ１２を接続し、電圧変換器１０のプラグ挿入口１８に電気器具の電源プラグを差し込む。
【００１６】
このようにして、アダプタプラグ２と電圧変換器１０とが接続されるとともに、電圧変換器１０と電気器具とが接続される。そして、商用電源用の電源コンセント１から印加される電圧は電圧変換器１０で所定の電圧に変圧され、変圧された所定電圧の電力が電気器具に供給される。
【００１７】
ここで、電圧変換器１０のケース本体１３内部の回路構造については特に限定されるものではなく、本実施形態においては、電源コード１１に電気的に接続されたトランス式の電圧変換回路（図示略）が内蔵されており、印加された電圧（１１０〜１３０ボルト、２２０〜２４０ボルト）を１００ボルトの電圧に変圧した電力を供給することができる。なお、図中の符号１９で示すものは、この電圧変換器１０の内部に電圧が印加されたことを表わす通電確認ランプである。
【００１８】
ところで、この電圧変換器１０は、電源コード１１を延ばした状態とすることで商用電源用の電源コンセント１から離れた場所でも電気器具類を使用可能としたものであるが、電気器具類を使用しない時、例えば携帯時の利便性を考慮して、電圧変換器１０の電源コード１１が場所を取らないようにコンパクトに収容できる構造となっている。
【００１９】
すなわち、本実施形態における電圧変換器１０のケース本体１３は、絶縁体により構成され、図２〜図５に示すように、断面長方形の４つ角が切り欠かれたドラム部１４の両端面に一対の鍔状のフランジ部１５−１，１５−２を有するリール形状に成形されている。ケース本体１３は、ドラム部１４の略中央付近で正面側ケース１３−１と背面側ケース１３−２とに２分割できるようになっている。
【００２０】
分割したケース本体１３の内部空間Ｓにはトランス式の電圧変換回路が収容され、電源コード１１は、背面側ケース１３−２の側壁面に設けられたコード引出口１７からケース本体１３の外部に延長されるとともに、電気器具の電源プラグが差し込まれるプラグ挿入口１８が、正面側ケース１３−１の上壁面に設けられている。
【００２１】
さらに、リール形状を有するケース本体１３には、両フランジ部１５−１，１５−２の内側に一対の突起部１６，１６が対向して形成され、この突起部１６，１６は断面長方形の角４箇所にそれぞれ同様に設けられている。また、突起部１６，１６間には所定の隙間Ｇが形成されており、この隙間Ｇは少なくとも電源コード１１のコード幅Ｗよりも広く設定されている。
【００２２】
そして、図６に示すように、電圧変換器１０の電源コード１１を突起部１６，１６間の合計４箇所の隙間Ｇに順次挿入し、挿入した電源コード１１をドラム部１４の外周に沿って巻き付けていく。このようにして、電圧変換器１０の電源コード１１がケース本体１３からはみ出さないように収容することができる。これに加えて、収容した電源コード１１の巻き付け終端は、電源コード１１のコード幅Ｗよりも一段太くなった電源プラグ１２の根元が突起部１６，１６の内側に当接して引掛け固定される。このため、電源コード１１のケース本体１３外部への自由度が規制され、電源コード１１の巻き崩れや巻き戻りを防ぐことができる。
【００２３】
このように、電源コード１１のドラム部１４への巻き付け構造と、巻き付け終端の突起部１６による固定構造とが相俟って、電源コード１１のケース本体１３外部への拡がりを抑えることができ、電源コード１１が嵩張ることがなく全体として電圧変換器１０のコンパクト化を図ることができる。
【００２４】
一方、電圧変換器１０の使用時には、この巻き付け収容時の操作とは逆の操作を行なえば良い。つまり、電源コード１１を突起部１６，１６間の隙間Ｇから順次引き出して、巻き付け収容時とは逆方向にケース本体１３を回転させていけば、ケース本体１３から電源コード１１を必要な長さだけ引き延ばすことができる。
【００２５】
なお、ケース本体１３の形状は、本実施形態のような断面長方形状に限らず断面円形状であっても良く、またケース本体１３のフランジ部１５−１，１５−２に形成される突起部１６，１６の個数をフランジ部１５−１，１５−２の外周に沿って増加させても良い。また、ケース本体１３のフランジ部１５−１，１５−２の長さについても電源コード１１の長さに合わせて適宜設計変更が可能である。
【００２６】
【発明の効果】
以上詳細に説明したように、本発明に係る電圧変換器によれば、電圧変換器の電源コードを突起部間の隙間から挿入してドラム部の外周に沿って巻き付けていくことで、電源コードをケース本体外部からはみ出さないように収容することができる。加えて、収容した電源コードの巻き付け終端は、コード幅よりも一段太くなった電源プラグの根元が突起部の内側に当接して引掛け固定され、ケース本体外部への自由度が規制されているため、電源コードの巻き崩れや巻き戻りを防ぐことができる。このように、電源コードの巻き付け構造と巻き付け終端の固定構造とが相俟って、電源コードのケース本体外部への拡がりを抑えることができ、電源コードが嵩張ることがなく全体として電圧変換器のコンパクト化を図ることができる。
【００２７】
よって、例えば海外旅行時に電圧変換器を電気器具類と一緒に携帯する場合、電圧変換器の電源コードと電気器具の電源コードとが互いに絡まったり、持ち運びの際に電源コードが拡がって邪魔になるといった不具合を解消できる。また、電源コードがケース本体外部へとはみ出すことがないため外観見栄えも良く、携帯性に優れた電圧変換器を提供することができる。
【図面の簡単な説明】
【図１】本発明に係る電圧変換器の全体構造を示す外観斜視図。
【図２】電圧変換器を正面から見た平面図。
【図３】電圧変換器を背面から見た平面図。
【図４】電圧変換器を横側面から見た平面図。
【図５】電圧変換器を上側面から見た平面図。
【図６】電圧変換器の電源コード巻き付け時の状態を示す平面図。
【符号の説明】
１  電源コンセント
２  アダプタプラグ
３  プラグ挿入口
１０  電圧変換器
１１  電源コード
１２  電源プラグ
１３  ケース本体
１３−１  正面側ケース
１３−２  背面側ケース
１４  ドラム部
１５−１，１５−２  フランジ部
１６  突起部
１７  コード引出口
１８  プラグ挿入口
１９  通電確認ランプ
Ｓ  ケース本体の内部空間
Ｇ  突起部間の隙間
Ｗ  電源コードのコード幅
【図１】
2004152795.tif 000003
【図２】
2004152795.tif 000004
【図３】
2004152795.tif 000005
【図４】
2004152795.tif 000006
【図５】
2004152795.tif 000007
【図６】
2004152795.tif 000008